(57)【要約】【課題】通いコンテナの流通状態の把握が容易で確実な、非接触形のＩＣタグを用いた農産物用通いコンテナ流通管理システムを提供し、さらに通いコンテナの固有番号から収納された農産物の生産物情報の取得も可能にする。【解決手段】通いコンテナ１０にそれぞれの固有番号を記録した非接触型ＩＣタグ１１を設け、集出荷場３０、卸売市場６０、受入れ先７０の入口と出口に固有番号を読み取るＩＣタグリーダを設け、読み取った固有番号をそれぞれのサーバ４２、６１、７１から通信ネットワーク９５を通じて通いコンテナ流通管理サーバ８１にその位置情報と共に通知し、通いコンテナ流通管理サーバ８１が全部の通いコンテナ１０の流通履歴を把握して、必要に応じてそれぞれのサーバに位置情報と固有番号にリンクしている収納した農産物の商品情報を提供する。【選択図】図１
2005212913.tif 000002
【特許請求の範囲】
【請求項１】
農産物を収納して該農産物の流通に用いられる農産物用の通いコンテナの流通管理システムであって、
前記通いコンテナの流通状態を管理する通いコンテナ管理センターに設けられた通いコンテナ流通管理サーバである第１のサーバと、
複数の生産者組織に設けられた第２のサーバと、
複数の卸売市場に設けられた第３のサーバと、
複数の受入れ先に設けられた第４のサーバと、
前記農産物用通いコンテナに設けられて該通いコンテナを特定する固有番号が記録されている非接触型のＩＣタグと、
前記第２から第４のサーバに接続されて、前記通いコンテナの搬入時と搬出時に該通いコンテナの前記非接触型のＩＣタグに記録された前記通いコンテナの前記固有番号を読み出すＩＣタグリーダと、
前記第１から第４のサーバを接続する通信ネットワークとを備え、
前記ＩＣタグリーダで読み出された前記通いコンテナの前記固有番号は、前記第２から第４のサーバから前記第１のサーバに前記通信ネットワークを経由して伝達され、
前記第１のサーバは、前記第２から第４のサーバから伝達された前記通いコンテナの前記固有番号に基づいて、前記通いコンテナの現在位置と移動経歴とを記録し、前記通いコンテナの現在位置と移動経歴とが、前記第２から第４のいずれかのサーバからのアクセスにより、該サーバに前記通信ネットワークを経由して通知される、農産物用通いコンテナ流通管理システム。
【請求項２】
前記第４のサーバが設置される前記受入れ先には、前記通いコンテナで継続的に農産物が搬入される施設である、量販店のバックヤードを含む物流センターや食品加工センターが含まれている、請求項１に記載の農産物用通いコンテナ流通管理システム。
【請求項３】
さらに前記通いコンテナの保管整備センターに設けられた第５のサーバを備え、該第５のサーバも前記通いコンテナの搬入時と搬出時に該通いコンテナの前記非接触型のＩＣタグに記録された前記通いコンテナの前記固有番号を読み出す前記ＩＣタグリーダを有し、該第５のサーバは前記通信ネットワークを経由して前記第１のサーバに接続され、前記ＩＣタグリーダで読み出された前記通いコンテナの前記固有番号は前記通信ネットワークを経由して前記第１のサーバに伝達される、請求項１に記載の農産物用通いコンテナ流通管理システム。
【請求項４】
さらに、前記卸売市場と前記受入れ先とにおける全般的な農産物の流通を管理する農産物流通管理センターに設けられ、前記通信ネットワークを経由して前記第１のサーバに接続される第６のサーバを備える、請求項１に記載の農産物用通いコンテナ流通管理システム。
【請求項５】
前記ＩＣタグは前記通いコンテナに固着されている、請求項１から請求項３のいずれか１項に記載の農産物用通いコンテナ流通管理システム。
【請求項６】
前記ＩＣタグリーダには、連続して移動する前記通いコンテナの前記ＩＣタグを読み取り可能なＩＣタグリーダが含まれる、請求項１から請求項３の何れか１項に記載の農産物用通いコンテナ流通管理システム。
【請求項７】
前記第２のサーバには、前記農産物の生産者情報と生産物情報とが記録されており、該第２のサーバは前記通いコンテナに収納されている前記農産物の前記生産者情報と前記生産物情報とを数量情報とともに前記農産物を収納する前記通いコンテナの前記固有番号とリンクして、前記第１のサーバに前記通信ネットワークを経由して通知し、
前記第１のサーバでは、受理した前記通いコンテナに収納されている前記農産物の前記生産者情報と前記生産物情報と数量情報とが、前記通いコンテナの前記固有番号とリンクして記録され、
前記第３および第４のサーバは、前記ＩＣタグリーダで読み出された前記通いコンテナの前記固有番号により、前記通信ネットワークを経由して前記第１のサーバに該通いコンテナに収納された農産物の前記生産者情報と前記生産物情報と前記数量情報とを要求し、前記第１のサーバは、前記通いコンテナの前記固有番号により、該通いコンテナに収納された農産物の前記生産者情報と前記生産物情報と前記数量情報とを検索して、要求のあった前記サーバに通知する、請求項１から請求項６の何れか１項に記載の農産物用通いコンテナ流通管理システム。
【請求項８】
前記農産物の前記生産者情報と前記生産物情報とを特定する識別子が予め設けられており、前記第２のサーバは、前記通いコンテナに収納されている前記農産物の識別子を数量情報とともに前記農産物を収納する前記通いコンテナの前記固有番号とリンクして前記第１のサーバに前記通信ネットワークを経由して通知し、
前記第１のサーバでは、受理した前記通いコンテナに収納されている前記農産物の前記識別子と数量情報とが、前記通いコンテナの前記固有番号とリンクして記録され、
前記第３および第４のサーバは、前記ＩＣタグリーダで読み出された前記通いコンテナの前記固有番号により、前記通信ネットワークを経由して前記第１のサーバに該通いコンテナに収納された農産物の前記生産者情報と前記生産物情報と前記数量情報とを要求し、前記第１のサーバは、前記通いコンテナの前記固有番号から前記識別子と前記数量情報とを読み出して、該識別子を管理するサーバから該識別子に対応する前記生産者情報と前記生産物情報とを取得し、取得した前記生産者情報と前記生産物情報ならびに前記数量情報を要求のあった前記サーバに通知する、請求項１から請求項６の何れか１項に記載の農産物用通いコンテナ流通管理システム。
【請求項９】
前記第６のサーバも、前記通いコンテナの前記固有番号により、前記通信ネットワークを経由して前記第１のサーバから該通いコンテナに収納された農産物の前記生産者情報と前記生産物情報と前記数量情報とを取得できる、請求項７または請求項８に記載の農産物用通いコンテナ流通管理システム。
【請求項１０】
前記農産物が青果物である、請求項１から請求項９の何れか１項に記載の農産物用通いコンテナ流通管理システム。
【請求項１１】
通いコンテナの流通状態を管理する通いコンテナ管理センターに設けられた第１のサーバである通いコンテナ流通管理サーバと、複数の生産者組織に設けられた第２のサーバと、複数の卸売市場に設けられた第３のサーバと、複数の受入れ先に設けられた第４のサーバと、農産物用通いコンテナに設けられて該通いコンテナを特定する固有番号が記録された非接触型のＩＣタグと、前記第２から第４のサーバに接続されて、前記通いコンテナの搬入時と搬出時に該通いコンテナの前記非接触型のＩＣタグに記録された前記通いコンテナの前記固有番号を読み出すＩＣタグリーダと、前記第１から第４のサーバを接続する通信ネットワークとを備えた前記通いコンテナの流通管理を行う農産物用通いコンテナ流通管理システムにおける前記通いコンテナ流通管理サーバであって、
該通いコンテナ流通管理サーバは、入力部、出力部、記憶部、データ処理装置を有し、
前記記憶部は、前記通いコンテナの前記固有番号をキーとして各前記通いコンテナの移動日時を含む移動履歴を格納するコンテナ履歴情報格納手段を有し、
前記データ処理装置は、
前記通信ネットワークを経由して前記システムの前記各サーバから入力した前記通いコンテナの前記固有番号と、発信元サーバ名と、前記通いコンテナの移動内容とに基づいて、日時を付して前記コンテナ履歴情報格納手段に履歴情報として格納するコンテナ履歴情報取得手段と、
前記通信ネットワークを経由して前記システムの前記各サーバから入力したコンテナ履歴情報要求を受理し、要求内容に対応したコンテナ履歴情報を前記コンテナ履歴情報格納手段から読み出して、前記通信ネットワークを経由して要求元の前記サーバに送信するコンテナ履歴情報要求処理手段と、
前記データ処理装置全体の制御を行う中央処理部とを有する、通いコンテナ流通管理サーバ。
【請求項１２】
前記記憶部は、さらに、前記生産者組織の出荷情報管理用サーバから前記通いコンテナの前記固有番号とリンクして通知された、該通いコンテナに収納された前記農産物の生産者情報と生産物情報と数量情報とを、前記農産物の農産物情報として前記通いコンテナの前記固有番号とリンクしてコンテナ／農産物情報として格納するコンテナ／農産物情報格納手段を有し、
前記データ処理装置は、さらに、
前記通信ネットワークを経由して前記出荷情報管理用サーバから入力した、前記通いコンテナの前記固有番号とリンクしている該通いコンテナに収納された前記農産物の生産者情報と生産物情報と数量情報とを、新しいコンテナ／農産物情報として、前記コンテナ／農産物情報格納手段に格納するコンテナ／農産物情報取得手段と、
前記通信ネットワークを経由して前記システムの前記各サーバから入力した、前記通いコンテナの前記固有番号をキーとするコンテナ／農産物情報要求を受理し、要求内容に対応した農産物情報を前記コンテナ／農産物情報格納手段から読み出して、前記通信ネットワークを経由して要求元の前記サーバに送信するコンテナ／農産物情報要求処理手段とを有する、請求項１１に記載の通いコンテナ流通管理サーバ。
【請求項１３】
前記農産物の前記生産者情報と前記生産物情報とを特定する識別子が設けられており、前記識別子が前記数量情報とともに前記通いコンテナの前記固有番号とリンクされて前記コンテナ／農産物情報格納手段に記録され、前記コンテナ／農産物情報取得手段は前記出荷情報管理用サーバから入力した前記識別子と数量情報とを新しいコンテナ／農産物情報として、前記コンテナ／農産物情報格納手段に記録し、前記コンテナ／農産物情報要求処理手段は、受理したコンテナ／農産物情報要求の要求内容に対応した前記農産物情報と前記数量情報とを前記コンテナ／農産物情報格納手段から読み出し、該農産物情報の前記識別子によって、該識別子を管理するサーバから前記生産者情報と前記生産物情報とを取得して、前記数量情報とともに前記通信ネットワークを経由して要求元の前記サーバに送信する、請求項１２に記載の通いコンテナ流通管理サーバ。
【請求項１４】
前記農産物が青果物である、請求項１１から請求項１３のいずれか１項に記載の通いコンテナ流通管理サーバ。
【発明の詳細な説明】
【技術分野】
【０００１】
本発明は農産物用通いコンテナ流通管理システムに関し、特に非接触形のＩＣタグを用いた農産物用通いコンテナ流通管理システムと通いコンテナ流通管理サーバに関する。
【背景技術】
【０００２】
従来、農産物の生産地から消費地までの流通形態としては種々の包装形態のものが用いられており、青果物や花の輸送においては近年までダンボールに収納された流通形態が主流であった。しかし、商的流通の形態の変化に伴って大型小売店の集配センターや食品加工センターなどへの輸送が増加して容器の返却再利用が可能になったことや省資源指向の流れから、使い捨てのダンボールに代わって通いコンテナの使用が増加してきた（非特許文献１参照）。
【０００３】
また、近年の健康に関する意識の高まりに伴い、無農薬栽培等により生産された農産物を求める意識が消費者に高まっており、それに対応するためのトレーサビリティが注目されている。例えば識別子付与による農産物流通における農産物の個体情報入力システムが特許として成立しており（特許文献１参照）、その特許を基に野菜や果物の生産者と流通業者・消費者を結ぶ誰でも利用できる公的サイトとしてＳＥＩＣＡ（青果ネットカタログ）が実用化しており、生産者や集荷者には８桁の「カタログナンバー」が与えられ、流通業者、消費者がそのナンバーからＳＥＩＣＡホームページで生産情報を見ることができるようになっている。
【特許文献１】特許第３３５５３６６号公報
【非特許文献１】初谷誠一著「これからの青果物流通と技術」（社）農業電化協会出版、２００３年２月発行、Ｐ．２１６−２２３
【発明の開示】
【発明が解決しようとする課題】
【０００４】
通いコンテナの利用は青果物を含む農産物流通の合理化や省資源の点から望ましい形態であるが、通いコンテナは生産者、出荷者、輸送業者、卸売市場、仲卸業者、青果物受入先の間を種々な形態で流れるために、その流通の状態を把握することが容易でなく、その回収再利用に障害があることがその普及の問題点となっている。
【０００５】
また、ＳＥＩＣＡ（青果ネットカタログ）は個々の青果物を対象としており、収納されているコンテナと収納されている青果物との関係は登録されていない。
【０００６】
本発明の目的は、通いコンテナの流通状態の把握が容易な、非接触形のＩＣタグを用いた農産物用通いコンテナ流通管理システムを提供することにある。また、さらに通いコンテナの固有番号と生産物情報とをリンクさせることにより、通いコンテナの固有番号をＩＣタグによって読み取ることによる生産情報の取得も可能にする。
【課題を解決するための手段】
【０００７】
本発明の農産物用通いコンテナ流通管理システムは、
農産物を収納してその農産物の流通に用いられる農産物用の通いコンテナの流通管理システムであって、通いコンテナの流通状態を管理する通いコンテナ管理センターに設けられた通いコンテナ流通管理サーバである第１のサーバと、複数の生産者組織に設けられた第２のサーバと、複数の卸売市場に設けられた第３のサーバと、複数の受入れ先に設けられた第４のサーバと、農産物用通いコンテナに設けられてその通いコンテナを特定する固有番号が記録されている非接触型のＩＣタグと、第２から第４のサーバに接続されて、通いコンテナの搬入時と搬出時にその通いコンテナの非接触型のＩＣタグに記録された通いコンテナの固有番号を読み出すＩＣタグリーダと、第１から第４のサーバを接続する通信ネットワークとを備えている。ＩＣタグリーダで読み出された通いコンテナの固有番号は、第２から第４のサーバから第１のサーバに通信ネットワークを経由して伝達され、第１のサーバは、第２から第４のサーバから伝達された通いコンテナの固有番号に基づいて、通いコンテナの現在位置と移動経歴とを記録し、通いコンテナの現在位置と移動経歴とが、第２から第４のいずれかのサーバからのアクセスにより、そのサーバに通信ネットワークを経由して通知される
第４のサーバが設置される受入れ先には、通いコンテナで継続的に農産物が搬入される施設である、量販店のバックヤードを含む物流センターや食品加工センターが含まれていてもよい。
【０００８】
さらに通いコンテナの保管整備センターに設けられた第５のサーバを備え、その第５のサーバも通いコンテナの搬入時と搬出時にその通いコンテナの非接触型のＩＣタグに記録された通いコンテナの固有番号を読み出すＩＣタグリーダを有し、その第５のサーバは通信ネットワークを経由して第１のサーバに接続され、ＩＣタグリーダで読み出された通いコンテナの固有番号は通信ネットワークを経由して第１のサーバに伝達されてもよく、さらに、卸売市場と受入れ先とにおける全般的な農産物の流通を管理する農産物流通管理センターに設けられ、通信ネットワークを経由して第１のサーバに接続される第６のサーバを備えてもよい。
【０００９】
ＩＣタグは通いコンテナに固着されていてもよく、ＩＣタグリーダには、連続して移動する通いコンテナのＩＣタグを読み取り可能なＩＣタグリーダが含まれていてもよい。
【００１０】
第２のサーバには、農産物の生産者情報と生産物情報とが記録されており、その第２のサーバは通いコンテナに収納されている農産物の生産者情報と生産物情報とを数量情報とともに農産物を収納する通いコンテナの固有番号とリンクして、第１のサーバに通信ネットワークを経由して通知し、第１のサーバでは、受理した通いコンテナに収納されている農産物の生産者情報と生産物情報と数量情報とが、通いコンテナの固有番号とリンクして記録され、第３、第４のサーバは、ＩＣタグリーダで読み出された通いコンテナの固有番号により、通信ネットワークを経由して第１のサーバにその通いコンテナに収納された農産物の生産者情報と生産物情報と数量情報とを要求し、第１のサーバは、通いコンテナの固有番号により、その通いコンテナに収納された農産物の生産者情報と生産物情報と数量情報とを検索して、要求のあったサーバに通知してもよい。
【００１１】
農産物の生産者情報と生産物情報とを特定する識別子が予め設けられており、第２のサーバは、通いコンテナに収納されている農産物の識別子を数量情報とともに農産物を収納する通いコンテナの固有番号とリンクして第１のサーバに通信ネットワークを経由して通知し、第１のサーバでは、受理した通いコンテナに収納されている農産物の識別子と数量情報とが、通いコンテナの固有番号とリンクして記録され、第３および第４のサーバは、ＩＣタグリーダで読み出された通いコンテナの固有番号により、通信ネットワークを経由して第１のサーバにその通いコンテナに収納された農産物の生産者情報と生産物情報と数量情報とを要求し、第１のサーバは、通いコンテナの固有番号から識別子と数量情報とを読み出して、その識別子を管理するサーバからその識別子に対応する生産者情報と生産物情報とを取得し、取得した生産者情報と生産物情報ならびに数量情報を要求のあったサーバに通知してもよく、第６のサーバも、通いコンテナの固有番号により、通信ネットワークを経由して第１のサーバからその通いコンテナに収納された農産物の生産者情報と生産物情報と数量情報とを取得できてもよい。
【００１２】
本発明の通いコンテナ流通管理サーバは、
上述の通いコンテナの流通管理を行う農産物用通いコンテナ流通管理システムにおける通いコンテナ流通管理サーバである。その通いコンテナ流通管理サーバは、入力部、出力部、記憶部、データ処理装置を有し、記憶部は、通いコンテナの固有番号をキーとして各通いコンテナの移動日時を含む移動履歴を格納するコンテナ履歴情報格納手段を有し、データ処理装置は、通信ネットワークを経由してシステムの各サーバから入力した通いコンテナの固有番号と、発信元サーバ名と、通いコンテナの移動内容とに基づいて、日時を付してコンテナ履歴情報格納手段に履歴情報として格納するコンテナ履歴情報取得手段と、通信ネットワークを経由してシステムの各サーバから入力したコンテナ履歴情報要求を受理し、要求内容に対応したコンテナ履歴情報をコンテナ履歴情報格納手段から読み出して、通信ネットワークを経由して要求元のサーバに送信するコンテナ履歴情報要求処理手段と、データ処理装置全体の制御を行う中央処理部とを有する。
【００１３】
記憶部は、さらに、生産者組織の出荷情報管理用サーバから通いコンテナの固有番号とリンクして通知された、その通いコンテナに収納された農産物の生産者情報と生産物情報と数量情報とを、農産物の農産物情報として通いコンテナの固有番号とリンクしてコンテナ／農産物情報として格納するコンテナ／農産物情報格納手段を有し、データ処理装置は、さらに、通信ネットワークを経由して出荷情報管理用サーバから入力した、通いコンテナの固有番号とリンクしているその通いコンテナに収納された農産物の生産者情報と生産物情報と数量情報とを、新しいコンテナ／農産物情報として、コンテナ／農産物情報格納手段に格納するコンテナ／農産物情報取得手段と、通信ネットワークを経由してシステムの各サーバから入力した、通いコンテナの固有番号をキーとするコンテナ／農産物情報要求を受理し、要求内容に対応した農産物情報をコンテナ／農産物情報格納手段から読み出して、通信ネットワークを経由して要求元のサーバに送信するコンテナ／農産物情報要求処理手段とを有してもよい。
【００１４】
農産物の生産者情報と生産物情報とを特定する識別子が設けられており、識別子が数量情報とともに通いコンテナの固有番号とリンクされてコンテナ／農産物情報格納手段に記録され、コンテナ／農産物情報取得手段は出荷情報管理用サーバから入力した識別子と数量情報とを新しいコンテナ／農産物情報として、コンテナ／農産物情報格納手段に記録し、コンテナ／農産物情報要求処理手段は、受理したコンテナ／農産物情報要求の要求内容に対応した農産物情報と数量情報とをコンテナ／農産物情報格納手段から読み出し、その農産物情報の識別子によって、その識別子を管理するサーバから生産者情報と生産物情報とを取得して、数量情報とともに通信ネットワークを経由して要求元のサーバに送信してもよい。
【００１５】
以上において、農産物は青果物であってもよい。
【発明の効果】
【００１６】
本発明には、次のような効果がある。即ち、
第１の効果は、農産物用通いコンテナの管理が容易になり、紛失を防ぐだけでなくその所在場所も容易に追跡できることである。これは通いコンテナの固有番号を記録した非接触形のＩＣタグが通いコンテナに取り付けられており、出発、到着時に通いコンテナの固有番号が読み取られて、通いコンテナ流通管理サーバに通信ネットワークを経由して通報し、通いコンテナ流通管理サーバが通いコンテナの履歴情報を常時管理できるからである。
【００１７】
第２の効果は、農産物用通いコンテナの普及により段ボール箱の使用が少なくなり、省資源に貢献することである。農産物用通いコンテナの管理が容易になることにより使用コストが段ボール箱よりも有利になるからである。
【００１８】
第３の効果は、廃棄段ボールが減少し環境対策に寄与することである。これは農産物用通いコンテナの普及により段ボール箱の使用が少なくなるからである。
【００１９】
第４の効果は、通いコンテナの固有番号と収納された農産物の生産物情報の識別番号とをリンクさせることにより生産物情報の取得も容易となり、青果物や花を含む農産物のトレサビリティにも有効に利用できることである。これは、通いコンテナの固有番号をＩＣタグから読み取って情報を通信ネットワークを経由して通いコンテナ流通管理サーバに通報することにより、コンテナ流通管理サーバを経由してその通いコンテナに収納されている農産物の生産物情報の入手が可能となるからである。
【発明を実施するための最良の形態】
【００２０】
次に、本発明の実施の形態について図面を参照して説明する。図１は本発明の第１の実施の形態の農産物用通いコンテナ流通管理システムを説明するための模式的ブロック構成図である。本実施の形態では農産物を最も利用の可能性が高い青果物を例として説明するが、対象は青果物に限定されるものではなく通いコンテナに収納して輸送される花を含む農産物に広く適用が可能である。
【００２１】
農産物用通いコンテナ流通管理システム１は、通いコンテナ１０の流通を管理するシステムであり、通いコンテナ１０には通いコンテナ１０を識別するための固有番号が記憶された非接触型のＩＣタグ１１が一体となって設けられている。新規コンテナの場合は製造時に組み込むことが望ましく、既存の通いコンテナを本システムで使用する場合にはＩＣタグを離脱しないように固着することが望ましい。固有番号は数字の他アルファベットを含んでいてもよい。
【００２２】
通いコンテナ１０は全国を流通することもあるので、全国的な通いコンテナ管理センター８０を設けて、そこで固有番号を一括管理することが望ましいが、難しい場合は一定のルールを定めて重複しないように番号付けを行うことが必要である。
【００２３】
非接触型のＩＣタグ１１にはＩＣチップとアンテナとが組み込まれており、外部からの所定の信号を受信して記憶内容を外部に発信するが、通いコンテナ１０がコンベヤなどで移動中に、設置されたＩＣタグリーダで連続的にＩＣタグ１１を読み取ることが必要な場合があり、状況によっては２段積みの通いコンテナから読み取る必要もあるので、対応できる能力のＩＣタグ１１とＩＣタグリーダを使用することが望まれる。
【００２４】
通いコンテナ１０内にはこの実施の形態では青果物１２が収納される。通いコンテナ１０は箱型のものと折畳み形の２種類があり、折畳み形の方が収容スペースが少なくてすむので望ましいがそのいずれにも対応できる。また再利用するため洗浄することが望ましいので通いコンテナ保管整備センター８５のような施設を流通のルートの中に設けて保管を行うとともに必要に応じて整備や洗浄を行うことが望ましい。通いコンテナ保管整備センター８５は通いコンテナレンタル業者が運営してもよい。
【００２５】
農産物用の通いコンテナ１０の流れには、工業製品用の通いコンテナと異なって生産者と末端との間に色々な流れがあるが、ここでは最も標準的な、生産者２０、農協や生産者組合などの共同の集出荷場３０、農協や生産者組合などの生産者組織４０、農産物の全国的な流通管理を行う、例えば全農などの農産物流通管理センター５０、卸売市場６０、受入れ先７０、通いコンテナ管理センター８０、通いコンテナ保管整備センター８５およびトラックなどの輸送手段９０、ならびにそれらに設けられたサーバを結ぶ通信ネットワーク９５により、農産物用通いコンテナ流通管理システム１の基盤が構成されているものとする。大手量販店の物流センターや食品加工センター等が末端となる場合もあるが、受入れ先７０に含まれるものとして説明する。農産物流通管理センター５０は通いコンテナ流通管理のためには必ずしも必要ではない。また、図１では説明を簡略化するために生産者２０、集出荷場３０、生産者組織４０、卸売市場６０、受入れ先７０、輸送手段９０は１個しか示されていないが実際には複数となっている。
【００２６】
ここで、生産者組織４０には生産情報管理用サーバ４１と出荷情報管理用サーバ４２とが設けられており、生産情報管理用サーバ４１は集出荷場３０に搬入される通いコンテナ１０の固有番号を読み取るＩＣタグリーダ（以下単にタグリーダと略称する）４３と、生産者組織４０に戻った通いコンテナ１０の固有番号を読み取るタグリーダ４５と、生産者２０にレンタルする通いコンテナ１０の固有番号を読み取るタグリーダ４６とを有し、出荷情報管理用サーバ４２には青果物出荷のために搬出される通いコンテナ１０の固有番号を読み取るタグリーダ４４が設けられている。
【００２７】
生産情報管理用サーバ４１と出荷情報管理用サーバ４２とが一つのサーバの中に設けられていていもよく、入力時に区別できればタグリーダ４３〜４６は共用であってもよい。
【００２８】
卸売市場６０には、卸売市場流通管理サーバ６１と、卸売市場６０に入荷する青果物１２の通いコンテナ１０の固有番号を読み取るタグリーダ６２と、青果物１２を収容したまま出荷される通いコンテナ１０の固有番号を読み取るタグリーダ６３と、青果物１２を取り出した空の通いコンテナ１０の固有番号を読み取るタグリーダ６４とが設けられている。入力時に区別できればタグリーダ６３とタグリーダ６４とは共用であってもよい。
【００２９】
受入れ先７０には、受入れ先流通管理サーバ７１と、受入れ先７０に入荷する青果物１２の通いコンテナ１０の固有番号を読み取るタグリーダ７２と、青果物１２が取り出された後に返却される空の通いコンテナ１０の固有番号を読み取るタグリーダ７３とが設けられている。
【００３０】
青果物流通管理センター５０には広域の青果物１２の生産情報と流通情報とを管理する青果物流通管理センターサーバ５１が設けられている。ここでは広域を対象とした青果物流通管理センター５０を設けることとしているが、広域を対象とした青果物流通管理センター５０が設けられない場合には、生産者組織４０の出荷情報管理用サーバ４２が直接それぞれの卸売市場流通管理サーバ６１と接続していて、卸売市場流通管理サーバ６１が相互に通信ネットワーク９５を経由して接続して流通管理センター的機能を有していても同様な機能を確保することができる。
【００３１】
通いコンテナ１０を運搬するトラックなどの輸送手段９０には、返却のための空の通いコンテナ１０の固有番号を読み取るタグリーダ９１が設けられており、無線ネットワークを通じて情報を通いコンテナ流通管理サーバ８１に伝達する。
【００３２】
通いコンテナ保管整備センター８５には、通いコンテナ保管整備センターサーバ８６と、搬入・搬出される通いコンテナ１０の固有番号を読み取るタグリーダ８７、８８とが設けられている。
【００３３】
通いコンテナ管理センター８０には、通いコンテナ流通管理サーバ８１が設けられており、通いコンテナ流通管理サーバ８１には各サーバから通信ネットワーク９５を経由して各サーバが読み取った通いコンテナ１０の固有番号がサーバ名と共に入力され、全ての通いコンテナ１０の現在地と移動履歴とが流通情報として格納され、各サーバの要求により通いコンテナ１０の流通情報を提供することができる。
【００３４】
農産物用の通いコンテナ１０の固有番号の読み取りは、上記の各構成単位の入口と出口でＩＣタグリーダ（タグリーダと略称）によって行われる。コンベヤによって搬入搬出が行われる場合は、固定式のタグリーダが用いられるが、台車に積み込んで運搬される場合や手作業で処理が行われる場合などでは搬入搬出口で手持ち式のタグリーダで読み取りを行ってもよい。何れの場合も読み取り結果はそれぞれの構成単位のサーバに送られ、そのサーバから通いコンテナ管理センター８０の通いコンテナ流通管理サーバ８１に通信ネットワーク９５を経由して送信され、通いコンテナ管理センター８０では、登録されている全ての通いコンテナ１０の動静を把握できる。通いコンテナ１０の動静は生産者組織４０の生産情報管理用サーバ４１、出荷情報管理用サーバ４２、卸売市場流通管理サーバ６１、受入れ先流通管理サーバ７１で通信ネットワーク９５を通じて入手が可能であり、それぞれの管理下にある通いコンテナ１０のチェックや、内容の青果物１２の輸送履歴や、通いコンテナ１０の利用料金の算出などにも利用できる。
【００３５】
ここで、生産者２０の利用開始に始まる通いコンテナ１０の流れについて、具体的に説明する。生産者２０は、生産者組織４０からレンタルした通いコンテナ１０に収穫した青果物１２を基準に従って収納する。ここでは生産者組織４０からレンタルすることとしているが、通いコンテナレンタル業者からレンタルしてもよく、この場合は使用済みの通いコンテナはコンテナレンタル業者に戻り、コンテナレンタル業者は生産者組織４０のタグリーダ４５、４６に相当するタグリーダを有しコンテナレンタル業者の不図示のサーバから通信ネットワーク９５を経由して入出庫情報を通いコンテナ流通管理サーバ８１に送信する。
【００３６】
生産者２０は青果物１２を収納した通いコンテナ１０を集出荷場３０に持ち込む。集出荷場３０ではＩＣタグリーダ４３で通いコンテナ１０の固有番号が読み取られて、生産者組織４０の生産情報管理用サーバ４１に送信され、生産情報管理用サーバ４１から通信ネットワーク９５を経由して通いコンテナ流通管理サーバ８１に通知され、これによって通いコンテナ１０の管理が生産者２０から生産者組織４０に移動したことが記録される。
【００３７】
集出荷場３０で検査、あるいは共同選別の後、通いコンテナ１０に収納された青果物１２は輸送手段９０によって卸売市場６０に出荷される。この場合生産者２０が青果物１２を収納した通いコンテナ１０でそのまま出荷される場合と、共同選別などの後に異なった通いコンテナ１０に収納されて出荷される場合とがある。いずれの場合でも、出荷時にタグリーダ４４により通いコンテナ１０の固有番号が読み取られて、生産者組織４０の出荷情報管理用サーバ４２に送信され、出荷情報管理用サーバ４２から通信ネットワーク９５を経由して通いコンテナ流通管理サーバ８１に通知され、これによってその通いコンテナ１０が生産者組織４０から卸売市場６０に移動中であることが記録される。生産者２０が持ち込んだ通いコンテナ１０とは別な通いコンテナ１０で出荷される場合、その通いコンテナ１０が集出荷場３０に持ち込まれる場合にタグリーダ４６でその通いコンテナ１０の固有番号が読み取られて移動先を生産者組織４０として通いコンテナ流通管理サーバ８１に登録しておく。
【００３８】
この時通いコンテナ１０に収納された青果物１２の生産物識別番号あるいは生産物情報と数量情報とを通いコンテナ１０の固有番号とリンクして通いコンテナ流通管理サーバ８１に送信すれば、その後の流通において通いコンテナ１０の固有番号を読み取ることによって内部の青果物１２の生産物情報と数量情報とを容易に入手することができる。
【００３９】
卸売市場６０では、タグリーダ６２で通いコンテナ１０の固有番号が読み取られて、卸売市場流通管理用サーバ６１に送信され、卸売市場流通管理用サーバ６１から通信ネットワーク９５を経由して通いコンテナ流通管理サーバ８１に通知され、これによって通いコンテナ１０の管理が卸売市場６０に移動したことが記録される。受入れと仕分けの終わった通いコンテナ１０は、青果物１２を収納したまま受入れ先７０に送られる通いコンテナ１０と、青果物１２を取り出して空になった通いコンテナ１０とに分けられる。
【００４０】
青果物１２を収納したまま受入れ先７０に送られる通いコンテナ１０はタグリーダ６３で通いコンテナ１０の固有番号が読み取られて、卸売市場流通管理用サーバ６１に送信され、卸売市場流通管理用サーバ６１から通信ネットワーク９５を経由して通いコンテナ流通管理サーバ８１に通知され、これによって通いコンテナ１０は卸売市場６０から受入れ先７０に移動中であることが記録される。
【００４１】
空になった通いコンテナ１０は輸送手段９０で回収されるが、タグリーダ６４で通いコンテナ１０の固有番号が読み取られて、卸売市場流通管理用サーバ６１に送信され、卸売市場流通管理用サーバ６１から通信ネットワーク９５を経由して通いコンテナ流通管理サーバ８１に通知され、これによって通いコンテナ１０は返却中であることが記録される。ここで区別した入力が可能であればタグリーダ６３とタグリーダ６４とは共用であってもよい。
【００４２】
受入れ先７０ではタグリーダ７２で入荷した通いコンテナ１０の固有番号が読み取られて、受入れ先流通管理サーバ７１に送信され、受入れ先流通管理サーバ７１から通信ネットワーク９５を経由して通いコンテナ流通管理サーバ８１に通知され、これによって通いコンテナ１０の管理が受入れ先７０に移動したことが記録される。青果物が取り出されて空になった通いコンテナ１０は輸送手段９０で返却されるが、タグリーダ７３で通いコンテナ１０の固有番号が読み取られて、受入れ先流通管理サーバ７１に送信され、受入れ先流通管理サーバ７１から通信ネットワーク９５を経由して通いコンテナ流通管理サーバ８１に通知され、これによって通いコンテナ１０は返却中であることが記録される。
【００４３】
返却される通いコンテナ１０は通いコンテナ保管整備センター８５または生産者組織４０（あるいは不図示のレンタル業者）に返却されるが、トラックなどの輸送手段９０がタグリーダ９１を有していて、積込み時にタグリーダ９１で空の通いコンテナ１０の固有番号が読み取られて、無線ネットワークによって通いコンテナ流通管理サーバ８１に通知され、これによって通いコンテナ１０は通いコンテナ保管整備センター８５あるいは生産者組織４０に返却のために運搬中であることが記録されることとなっていてもよい。
【００４４】
通いコンテナ保管整備センター８５では、入荷した通いコンテナ１０の固有番号をタグリーダ８７で読み取られて、通いコンテナ保管整備センターサーバ８６と通信ネットワーク９５を経由して通いコンテナ流通管理サーバ８１に通知され、これによって通いコンテナ１０の管理が通いコンテナ保管整備センター８５に移動したことが記録される。また出荷される通いコンテナ１０の固有番号はタグリーダ８８により同様に通いコンテナ流通管理サーバ８１に通知され、通いコンテナ１０が移動中であることが記録される。
【００４５】
生産者組織４０に返却された通いコンテナ１０は、タグリーダ４５で通いコンテナ１０の固有番号が読み取られて生産情報管理用サーバ４１に送信され、生産情報管理用サーバ４１から通信ネットワーク９５を経由して通いコンテナ流通管理サーバ８１に通知され、これによって通いコンテナ１０の管理が生産者組織４０に移動したことが記録される。通いコンテナ１０が生産者２０にレンタルされる場合には、レンタルされる通いコンテナ１０の固有番号がタグリーダ４６で読み取られて生産情報管理用サーバ４１に送信され、生産情報管理用サーバ４１から通信ネットワーク９５を経由して通いコンテナ流通管理サーバ８１に通知され、これによって通いコンテナ１０の管理が生産者２０に移動したことが記録される。
【００４６】
以上のような通いコンテナ１０のＩＣタグ１１の、それぞれのシステム構成要素の入口および出口におけるタグリーダによる読み出しと、その情報の通いコンテナ流通管理サーバ８１への伝達によって、通いコンテナ流通管理サーバ８１では全部の通いコンテナ１０の現在の所在と履歴とを確実に把握でき、要求により各サーバに情報が提供される。
【００４７】
次に、本発明の第２の実施の形態について同じく図１を参照して説明する。第２の実施の形態の農産物用通いコンテナ流通管理システム１は、通いコンテナ１０の固有番号を、収納された青果物の生産物識別番号あるいは生産物情報と数量情報とにリンクさせた形態である。ここで、生産物識別番号あるいは生産物情報に生産者情報が含まれていていもよい。これによってその後の流通において、青果物流通管理センターサーバ５１に生産物識別番号を入力して検索しなくても、通いコンテナ１０の固有番号をタグリーダで読み取るだけで内部の青果物１２の生産物情報と数量情報とを容易に入手することができる。このように卸売市場６０や受入れ先７０では通いコンテナ１０の入荷時にタグリーダで通いコンテナ１０の固有番号を読み取るだけで、同時に通いコンテナ１０に収納された青果物１２の生産物情報と数量情報とを入手することができ、その情報に基づいてその後の青果物１２についての受入れや仕分け処理を行うことができる。
【００４８】
通いコンテナ１０の固有番号と生産物識別番号あるいは生産物情報とのリンクは、識別子による農産物の個体情報入手システムが採用されている場合には、出荷時に通いコンテナ１０に収納された青果物に付与された識別子がその数量と共に通いコンテナ１０の固有番号とリンクされて、出荷情報管理用サーバ４２から通いコンテナ流通管理サーバ８１に通知されて記録されていれば、卸売市場流通管理サーバ６１や受入れ先流通管理サーバ７１からの通いコンテナ１０の固有番号による通いコンテナ流通管理サーバ８１へのアクセスにより、識別子を介して容易に生産物情報と数量情報とを入手することができる。
【００４９】
識別子による農産物の個体情報入手システムが採用されていない場合でも、出荷情報管理用サーバ４２から通いコンテナ流通管理サーバ８１に通いコンテナ１０の固有番号を通知する際に、収納されている青果物１２の生産物識別番号あるいは生産物情報と数量とをリンクさせて登録しておけば多少手数は掛かるが、同じ目的が達成できる。
【００５０】
以上の実施の形態においては、通いコンテナ１０に固着されている非接触型のＩＣタグ１１には、その通いコンテナ１０の固有番号だけが記録されているものとしており、本実施の形態の農産物用通いコンテナの流通管理においてはそれで十分であり、記録容量の少ないＩＣタグを用いることによりコストが低減できるが、ＩＣタグには記録容量の大きいものもあり、書き込み、読み出し、消去が可能なので、記録容量が大きく、固有番号以外の情報の書き込み、読み出し、消去が可能なＩＣタグを通いコンテナ１０に固着し、必要な通いコンテナ１０の通過点にＩＣタグライターを設け、農産物流通に必要な情報、例えば通いコンテナ１０に収納された農産物の生産者情報、生産物情報、通過点情報あるいは通過点の温度などを記録させれば、どこでもＩＣタグリーダで読み出すことができ、農産物のトレサビリティをさらに拡大することに役立たせることもできる。
【００５１】
次に本発明の実施の形態の農産物用通いコンテナ流通管理システム１の中心となっている通いコンテナ管理センター８０の通いコンテナ流通管理サーバ８１について説明する。図２は本発明の通いコンテナ流通システムの通いコンテナ流通管理サーバの第１の実施の形態の模式的ブロック構成図である。
【００５２】
通いコンテナ流通管理サーバ８１は、通信ネットワーク９５を介して農産物用通いコンテナ流通管理システム１の各サーバから通いコンテナ１０の固有番号の読み取り結果の通知を受けて、記憶部１３０のコンテナ履歴情報格納部１３１に通いコンテナ１０の固有番号と対応させて履歴情報として記憶し、各サーバからのアクセスにより指定された固有番号に対応した履歴情報をそれぞれのサーバに対して通信ネットワーク９５を経由して通知する。
【００５３】
通いコンテナ流通管理サーバ８１は、入力部１１０、出力部１４０、データ処理装置１２０、記憶部１３０、操作者がコマンドやデータを入力できる操作者入力部１１１、データを画面に表示できる画像表示部１４１を有する。
【００５４】
記憶部１３０は、コンテナ履歴情報格納部１３１を有し、コンテナ履歴情報格納部１３１は通いコンテナ１０の固有番号をキーとして各通いコンテナ１０の移動履歴を移動日時と共に格納する。
【００５５】
データ処理装置１２０は、コンテナ履歴情報取得部１２１、コンテナ履歴情報要求受理部１２２、コンテナ履歴情報制作部１２３、コンテナ履歴情報送信部１２４、およびデータ処理装置１２０全体の制御を行う中央処理部１２９を有する。
【００５６】
コンテナ履歴情報取得部１２１は、通信ネットワーク９５を経由して各サーバから入力した通いコンテナ１０の固有番号と、発信元サーバ名と、読み取ったタグリーダにより規定される通いコンテナ１０の移動内容と、日時情報とに基づいて、記憶部１３０のコンテナ履歴情報格納部１３１に、通いコンテナ１０の固有番号をキーとする所定のフォーマットのコンテナ履歴情報として格納する。
【００５７】
コンテナ履歴情報要求受理部１２２は、通信ネットワーク９５を経由して各サーバから入力したコンテナ履歴情報要求を受理し、コンテナ履歴情報制作部１２３は、要求内容に対応した履歴情報を記憶部１３０のコンテナ履歴情報格納部１３１から読み出して制作し、コンテナ履歴情報送信部１２４から通信ネットワーク９５を経由して要求元のサーバに送信する。
【００５８】
図３は本発明の通いコンテナ流通システムの通いコンテナ流通管理サーバの第２の実施の形態の模式的ブロック構成図である。第２の実施の形態では第１の実施の形態に加えてコンテナ／青果物情報の処理が行われる。第１の実施の形態と同一の部分については同一の符号を用いて説明する。
【００５９】
通いコンテナ流通管理サーバ８１は、通信ネットワーク９５を介して農産物用通いコンテナ流通管理システム１の各サーバから通いコンテナ１０の固有番号の読み取り結果の通知を受けて、第１の実施の形態と同様に、記憶部１３０のコンテナ履歴情報格納部１３１に通いコンテナ１０の固有番号と対応させて記憶し、出荷情報管理用サーバ４２から通いコンテナ１０の固有番号とリンクして通知された、通いコンテナ１０に収納された青果物の生産物識別番号あるいは生産物情報とその数量情報とを、青果物情報として通いコンテナ１０の固有番号とリンクしてコンテナ／青果物情報格納部１３２に記憶し、各サーバからのアクセスにより指定された固有番号に対応した履歴情報あるいは青果物情報をそれぞれのサーバに対して通信ネットワーク９５を経由して通知する。識別子による農産物の個体情報入手システムが採用されている場合には、生産物識別番号あるいは生産物情報に変えて識別子を使用すればよい。
【００６０】
通いコンテナ流通管理サーバ８１は、入力部１１０、出力部１４０、データ処理装置１２０、記憶部１３０、操作者がコマンドやデータを入力できる操作者入力部１１１、データを画面に表示できる画像表示部１４１を有する。
【００６１】
記憶部１３０は、コンテナ履歴情報格納部１３１と、コンテナ／青果物情報格納部１３２とを有し、コンテナ履歴情報格納部１３１は通いコンテナ１０の固有番号をキーとして各通いコンテナ１０の移動履歴を移動日時と共に格納し、コンテナ／青果物情報格納部１３２は、生産者組織４０の出荷情報管理用サーバ４２から通いコンテナ１０の固有番号とリンクして通知された、通いコンテナ１０に収納された青果物の生産物識別番号あるいは生産物情報とその数量情報とを、青果物情報として通いコンテナ１０の固有番号とリンクして格納する。識別子による農産物の個体情報入手システムが採用されている場合には、生産物識別番号あるいは生産物情報に変えて識別子を記憶すればよい。
【００６２】
データ処理装置１２０は、コンテナ履歴情報取得部１２１、コンテナ履歴情報要求受理部１２２、コンテナ履歴情報制作部１２３、コンテナ履歴情報送信部１２４、コンテナ／青果物情報取得部１２５、コンテナ／青果物情報要求受理部１２６、コンテナ／青果物情報制作部１２７、コンテナ／青果物情報送信部１２８、およびデータ処理装置１２０全体の制御を行う中央処理部１２９を有する。
【００６３】
コンテナ履歴情報取得部１２１、コンテナ履歴情報要求受理部１２２、コンテナ履歴情報制作部１２３、およびコンテナ履歴情報送信部１２４の内容と動作は第１の実施の形態と同じなので説明を省略する。
【００６４】
コンテナ／青果物情報取得部１２５は、通信ネットワーク９５を経由して出荷情報管理用サーバ４２から入力した、通いコンテナ１０の固有番号とリンクしているその通いコンテナ１０に収納された青果物の生産物識別番号あるいは生産物情報とその数量情報とを、新しい青果物情報として、記憶部１３０のコンテナ／青果物情報格納部１３２の通いコンテナ１０の固有番号とリンクして記憶する。その場合これまで記憶されている青果物情報を更新することとしてもよい。識別子による農産物の個体情報入手システムが採用されている場合には、生産物識別番号あるいは生産物情報に変えて識別子を使用すればよい。
【００６５】
コンテナ／青果物情報要求受理部１２６は、通信ネットワーク９５を経由して各サーバから入力したコンテナ／青果物情報要求を受理し、コンテナ／青果物情報制作部１２７は、要求内容の通いコンテナ１０の固有番号に対応した青果物情報を記憶部１３０のコンテナ／青果物情報格納部１３２から読み出して、コンテナ／青果物情報送信部１２８から通信ネットワーク９５を経由して要求元のサーバに送信する。この場合に生産物識別番号が用いられている場合は通信ネットワーク９５を経由して生産者組織４０のサーバから対応する生産物情報を取得し、青果物情報として識別子が用いられている場合は、通信ネットワーク９５を経由して識別子による農産物の個体情報入手システムを管理するサーバから生産物情報を取得して青果物情報を制作する。
【図面の簡単な説明】
【００６６】
【図１】本発明の第１の実施の形態の農産物用通いコンテナの管理システムを説明するための模式的ブロック構成図である。
【図２】本発明の通いコンテナ流通システムの通いコンテナ流通管理サーバの第１の実施の形態の模式的ブロック構成図である。
【図３】本発明の通いコンテナ流通システムの通いコンテナ流通管理サーバの第２の実施の形態の模式的ブロック構成図である。
【符号の説明】
【００６７】
１    農産物用通いコンテナ流通管理システム
１０    通いコンテナ
１１    ＩＣタグ
１２    青果物
２０    生産者
３０    集出荷場
４０    生産者組織
４１    生産情報管理用サーバ
４２    出荷情報管理用サーバ
４３、４４、４５、４６、６２、６３、６４、７２、７３、８７、８８、９１    ＩＣタグリーダ
５０    青果物流通管理センター
５１    青果物流通管理センターサーバ
６０    卸売市場
６１    卸売市場流通管理サーバ
７０    受入れ先
７１    受入れ先流通管理サーバ
８０    通いコンテナ管理センター
８１    通いコンテナ流通管理サーバ
８５    通いコンテナ保管整備センター
８６    通いコンテナ保管整備センターサーバ
９０    輸送手段
９５    通信ネットワーク
１１０    入力部
１１１    操作者入力部
１２０    データ処理装置
１２１    コンテナ履歴情報取得部
１２２    コンテナ履歴情報要求受理部
１２３    コンテナ履歴情報制作部
１２４    コンテナ履歴情報送信部
１２５    コンテナ／青果物情報取得部
１２６    コンテナ／青果物情報要求受理部
１２７    コンテナ／青果物情報制作部
１２８    コンテナ／青果物情報送信部
１２９    中央処理部
１３０    記憶部
１３１    コンテナ履歴情報格納部
１３２    コンテナ／青果物情報格納部
１４０    出力部
１４１    画像表示部
【図１】
2005212913.tif 000003
【図２】
2005212913.tif 000004
【図３】
2005212913.tif 000005